(57)【要約】【課題】床版上に複数枚を並設し互いに連結して装飾床面を構成する床パネルにおいて、床パネルの継ぎ目部が目立たず、一枚の人工芝を敷き詰めた如き外観を呈する床面を形成することができるようにする。【解決手段】方形パネル面の側辺に連結片２６、２７を有する床パネル１のパネル面２ａに人工芝マット３を一体に固着し、パネル面２ａの縁部における人工芝マット３の芝糸３２の先端部分を縁部外方へ庇状に突出させ、床パネル１、１同士の継ぎ目部が芝糸３２で覆い隠れるように構成する。【選択図】図４
2010242423.tif 000002
【特許請求の範囲】
【請求項１】
方形パネル面の側辺に連結片を有する床パネルであって床版上に隣接配置した床パネル同士を連結片で互いに接続して一体の装飾床面を構成する床パネルにおいて、
前記パネル面に人工芝マットが取り付けられているとともに、パネル面の縁部における人工芝マットの芝糸の先端部分を縁部外方へ突出させて構成してあることを特徴とする床パネル。
【請求項２】
人工芝マットの芝糸をパネル面の一の側辺から対向位置の他の側辺に向けて傾倒させるとともに、前記他の側辺の縁部において芝糸の先端部分を縁部外方へ突出させて構成してあることを特徴とする請求項１に記載の床パネル。
【請求項３】
床版上に隣接配置した床パネル同士を連結片で互いに接続したときに、パネル面の縁部外方へ突出した芝糸で前記連結片の接続部が覆い隠れるように構成してあることを特徴とする請求項１又は２に記載の床パネル。
【発明の詳細な説明】
【技術分野】
【０００１】
本発明は、モルタル床や庭先、バルコニー、ベランダなど屋内外の下地床版上に敷設して装飾床面を形成する床パネルであって、パネル面に人工芝マットが一体に取り付けられた装飾床パネルに関する。
【背景技術】
【０００２】
バルコニーなどの下地床版上に敷設して装飾床面を形成する合成樹脂製の床パネルとして、床に芝生を敷いたような外観及び質感を醸し出すため、パネル面に人工芝マットを取り付けた床パネルが用いられている。
図５はその一例を示し、この床パネル１００は、複数の脚体１０２で支持される、側辺に連結片１０３を有する平面視正方形のパネル面１０１に人工芝マット１０４を一体に取り付けて形成され、床版上に複数の床パネル１００を並設し、隣接する床パネル１００、１００同士を一方の床パネル１００の連結片１０３に他方の床パネル１００の脚体１０２を係合して連結することで、適宜な面積の人工芝の床面を構成するものである（例えば特許文献１、２、３参照）。
【先行技術文献】
【特許文献】
【０００３】
【特許文献１】実開昭５２−７９２４号公報
【特許文献２】実開昭６２−１６１０２号公報
【特許文献３】特開平５−２７７２１９号公報
【発明の概要】
【発明が解決しようとする課題】
【０００４】
前記図示した床パネル１００にあっては、特別な技量を要さずに、床版上にタイルを敷く要領で人工芝の床面を簡単に形成することが可能である。
しかし、所定の大きさに形成された床面を上方から眺めると、図６に示されるように、人工芝マット１０４の芝糸１０４ａの植設密度が床パネル１００、１００の継目部分で薄くなって連結した床パネル１００、１００の目地１０５が格子状に浮き出てしまい、また、継ぎ目部分で各床パネル１００の連結片１０３も露出してしまう。タイル状の装飾を施した床面内にスポット的に人工芝を固着した前記床パネル１００を一枚だけ組み込んで装飾床面を形成する場合は周囲の床パネルとの継ぎ目は目立たず気にはならないが、前記床パネル１００同士を複数並設したときは、床パネル１００の継ぎ目部分で人工芝マット１０４が途切れているように見え、恰も一枚の人工芝を敷き詰めた外観のように床面を形成することができなかった。また、床面に目地１０５があると、目地１０５にゴミが入り込んで溜まり易くなるという問題もあった。
【０００５】
本発明は従来技術の有するこのような問題点に鑑み、床となる部分である床版上に複数枚を並設し互いに連結して装飾床面を構成する床パネルにおいて、床パネルの継ぎ目部が目立たず、一枚の人工芝を敷き詰めた如き外観を呈する床面を形成できるようにすることを課題とする。
【課題を解決するための手段】
【０００６】
前記課題を解決するため本発明は、方形パネル面の側辺に連結片を有する床パネルであって床版上に隣接配置した床パネル同士を連結片で互いに接続して一体の装飾床面を構成する床パネルにおいて、前記パネル面に人工芝マットが取り付けられているとともに、パネル面の縁部における人工芝マットの芝糸の先端部分を縁部外方へ突出させて構成してあることを特徴とする。
【０００７】
前記構成の床パネルは、人工芝マットの芝糸をパネル面の一の側辺から対向位置の他の側辺に向けて傾倒させるとともに、前記他の側辺の縁部において芝糸の先端部分を縁部外方へ突出させて構成することができる。
前記構成において、床版上に隣接配置した床パネル同士を連結片で互いに接続したときに、パネル面の縁部外方へ突出した芝糸で前記連結片の接続部が覆い隠れるように構成してあることが好ましい。
【０００８】
本発明の床パネルによれば、床版上に複数枚を並設し、隣接する床パネル同士を連結片で接続することで人工芝を敷き詰めた如き装飾床面を形成することができる。人工芝マットは、パネル面の縁部における芝糸を縁部外方へ倒すなどして、芝糸がパネル面の縁部外方へ突出するように設けてあるので、床パネル同士を接続したときに、床パネルの縁部の芝糸の先端が庇状に縁部外方へ突出して隣接する床パネルの縁部に達し、連結片の接続部が芝糸で覆い隠れて目地が目立たず、恰も一枚の人工芝を敷き詰めた如き外観の装飾床面を形成することができる。また、床パネルの継ぎ目部が芝糸で覆われるので、目地にゴミが入り込み難くなる。
【０００９】
人工芝マットの芝糸は、方形パネル面の四側辺の全辺においてその先端が縁部外方へ突出するように設けても、一辺を除く三辺、又は隣接二辺のみ、対向二辺のみ、或いは一辺のみで、それら側辺の縁部から先端が外方へ突出するように設けてもよい。要は床パネル同士の継ぎ目部がパネル面の縁部外方へ突出した芝糸で覆い隠れるように設けてあればよい。縁部における芝糸の突出寸法は、連結片の形態に応じて、接続した連結片の上方を覆い隠すことができる適宜な長さに設定される。
【図面の簡単な説明】
【００１０】
【図１】本発明の一実施形態の床パネルの上面図（Ａ）と底面図（Ｂ）である。
【図２】図１の床パネルの下側連結片（Ａ）と上側連結片（Ｂ）を示すパネルの要部破断拡大図である。
【図３】図１の床パネルの側面図である。
【図４】図１の床パネル同士を接続した状態のパネル継ぎ目部分の拡大断面図である。
【図５】従来の床パネルの断面図である。
【図６】従来の床パネルを連結した状態を示す斜視図である。
【発明を実施するための形態】
【００１１】
本発明の好適な実施形態を図面に基づいて説明する。
図１に示されるように、本形態の床パネル１は、合成樹脂製のパネル基台２の上面に人工芝マット３を一体に取り付けて構成されている。
【００１２】
パネル基台２は、縦横三列に並べた正方形の単位パネル２１を継手部２２で隣接パネル同士を接合して正方形のブロックパネルとして一体に成形してある。
詳しくは、各単位パネル２１は、そのパネル面２１ａ内に複数の通孔２３を有し、その周囲に側壁２４を垂設するとともに、パネル面２１ａの底部に適宜な高さの円柱状の脚体２５を所定の間隔を開けて複数突設させた形状に設けてある。また、パネル基台２の一の角部を挟む隣接二側辺２Ａ、２Ｂに沿った各単位パネル２１の側壁２４には、図２（Ａ）に示される、係合スリット２６ａを有して側壁底部から外方へ突出した下側連結片２６が設けてあり、一方、前記二辺と対向する隣接二側辺２Ｃ、２Ｄに沿った各単位パネル２１の側壁２４には、同図（Ｂ）に示される、側壁底部から下方へ突出した係合突部である上側連結片２７が設けてある。これらは、図４に示されるように、上側連結片２７を下側連結片２６の係合スリット２６ａ内に圧入することによって互いに係合する対応形状に形成されており、パネル基台２を並設した際に隣接するパネル基台２同士で対応位置の下側連結片２６と上側連結片２７を互いに係合させることにより、パネル基台２、２同士を一体に連結できるように設けてある。
【００１３】
人工芝マット３は、下地となる基布３１上に芝糸３２を貼り付けて形成されており、パネル基台２の上面寸法に沿って正方形に裁断されたものをパネル基台２の上面に重ね、レーザー接着や高周波接着などの適宜な接着手段を用いてパネル基台２のパネル面２ａに一体に固着してある。
そして、本形態の床パネル１では、図３に示されるように、パネル基台２の側辺２Ａ側からこれと対向する側辺２Ｃ側に向けて人工芝マット３の芝糸３２全体を傾倒させるとともに、前記側辺２Ｃの縁部において、パネル面２ａから芝糸３２の先端が縁部外方へ適宜な幅で庇状に突出するように設けてある。芝糸３２を傾倒させる手段は、予め人工芝マット３の表面を押圧して芝糸３２に折り癖をつけておいたり、人工芝マット３をパネル基台２に取り付けた後、マット表面を加熱しながら芝糸３２が傾倒する方向に芝目を強制的につけたりするなど適宜な手段を用いることができる。
【００１４】
このように構成された本形態の床パネル１は、床版上に複数枚を並設し、図４に示されるように、隣接する床パネル１同士で一側の床パネル１の上側連結片２７を他側の床パネル１の下側連結片２６に係合させて連結することにより、適宜な大きさの人工芝の装飾床面を形成することができる。
この際、床パネル１、１の継ぎ目部分は、同図に示されるように、床パネル１の縁部外方へ張り出した芝糸３２の先端部分が、これと隣接する床パネル１のパネル面２ａの縁部に達して上下連結片２６、２７の接続部を覆い、床パネル１、１間の目地が芝糸３２で覆われるので目立たず、床面は恰も一枚の人工芝を敷き詰めた如き外観のものとなる。
また、床パネル１の側辺２Ａから側辺２Ｃに向けて芝糸３２を傾倒させ、下側連結片２６を設けた側辺２Ａ側では芝糸３２を縁部外方へ突出させてはいないので、床パネル１、１同士を連結する際に下側連結片２６の位置を確認して、上側連結片２７を容易に係合させることが可能である。
【００１５】
なお、図示した形態は一例であり、本発明の床パネル１の構成はこれに限定されるものではない。
パネル基台２は平面視正方形に形成したが、長方形や他の多角形状に形成してもよく、また、パネル同士を接続する連結片も他の適宜な形態に設けることができる。また、図示した形態では、床パネル１の側辺２Ｃの縁部からのみ芝糸３２がパネル外方へ突出するように設けたが、上側連結片２７を設けた側辺２Ｄの縁部からも芝糸３２が突出するように設けてもよく、また、パネル面２ａの四側辺の縁部において芝糸３２が縁部外方へ突出するように設けてよい。
【符号の説明】
【００１６】
１  床パネル、２  パネル基台、２ａ  パネル面、２１  単位パネル、２１ａ  パネル面、２２  継手部、２３  通孔、２４  側壁、２５  脚体、２６  下側継手片、２６ａ  係合スリット、２７  上側連結片、２Ａ〜２Ｄ  側辺、３  人工芝マット、３１  基布、３２  芝糸
【図１】
2010242423.tif 000003
【図２】
2010242423.tif 000004
【図３】
2010242423.tif 000005
【図４】
2010242423.tif 000006
【図５】
2010242423.tif 000007
【図６】
2010242423.tif 000008